【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
アクセスポイントデバイスを含む基本サービスセット（ＢＳＳ）内の、第１のチャネルを介して第２のデバイスと通信する第１のデバイスで、前記第１のチャネルを介した通信を停止する命令と第２のチャネルのインジケーションとを受信することと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントデバイスをバイパスする前記第１のデバイスと前記第２のデバイスとの間の通信を可能にするために前記第２のデバイスとの直接リンクを確立することと
を備え、
前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
【請求項２】
前記レーダー信号検出基準は、レーダー信号干渉しきい値を超える受信信号強度を含む、請求項１に記載の方法。
【請求項３】
前記第２のデバイスが前記ＢＳＳ内にあるかどうかを判定することは、直接リンクセットアップ（ＤＬＳ）ベースの発見プロシージャに従って、またはトンネリング直接リンクセットアップ（ＴＤＬＳ）ベースの発見プロシージャに従って実行される、請求項１に記載の方法。
【請求項４】
前記アクセスポイントデバイスから受信されたビーコンをモニタして、前記第２のチャネルへの前記アクセスポイントデバイスの切り替えを判定することをさらに備える、請求項１に記載の方法。
【請求項５】
前記アクセスポイントデバイスが前記第２のチャネルに切り替えた後、前記アクセスポイントデバイスを介して前記第２のデバイスにデータを送ることをさらに備える、請求項４に記載の方法。
【請求項６】
前記第２のチャネルの前記インジケーションを受信する前に前記アクセスポイントデバイスに要求を送ることと、
前記要求に対する応答を前記アクセスポイントデバイスから受信することと
をさらに備え、前記応答は、前記第２のチャネルの前記インジケーションを含む、請求項１に記載の方法。
【請求項７】
前記要求は、プローブ要求を含み、前記応答は、チャネル切り替え告知を含むプローブ応答を含み、前記命令は、前記チャネル切り替え告知内のチャネル切り替えモードインジケータに対応する、請求項６に記載の方法。
【請求項８】
前記第１のデバイスが、前記第１のチャネル上の前記干渉信号を検出することと、
前記干渉信号が前記レーダー信号検出基準を満足することの検出に応答して、前記要求を送ることとをさらに備える、請求項６に記載の方法。
【請求項９】
前記第２のチャネルを使用して前記第２のデバイスとの前記直接リンクを確立することは、前記第１のチャネルを使用する第１の直接リンクを介して前記第２のデバイスにチャネル切り替え命令を送ることを含み、前記アクセスポイントデバイスが前記第２のチャネルに切り替える前に、前記直接リンクが前記第２のチャネルを使用して確立される、請求項８に記載の方法。
【請求項１０】
前記チャネル切り替え命令は、トンネリング直接リンクセットアップ（ＴＤＬＳ）プロシージャに従って送られる、請求項９に記載の方法。
【請求項１１】
前記干渉信号が前記レーダー信号検出基準を満足することの検出に応答して、前記第２のデバイスとの前記第１の直接リンクを確立することをさらに備える、請求項９に記載の方法。
【請求項１２】
前記第２のデバイスとの前記第１の直接リンクが、前記干渉信号を検出するより前に確立される、請求項９に記載の方法。
【請求項１３】
直接リンクのチャネル切り替えエンジンを備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、
半導体デバイス。
【請求項１４】
前記直接リンクのチャネル切り替えエンジンは、メディアアクセスコントローラ内にある、請求項１３に記載の半導体デバイス。
【請求項１５】
前記メディアアクセスコントローラに結合されたワイヤレストランシーバをさらに備える、請求項１４に記載の半導体デバイス。
【請求項１６】
前記メディアアクセスコントローラに結合された処理ユニットと、前記処理ユニットに結合されたコーダ／デコーダ（コーデック）とをさらに備える、請求項１５に記載の半導体デバイス。
【請求項１７】
トランシーバに結合されたアンテナと、
直接リンクのチャネル切り替えエンジンと
を備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、
デバイス。
【請求項１８】
前記トランシーバと前記直接リンクのチャネル切り替えエンジンとに結合された処理ユニットをさらに備える、請求項１７に記載のデバイス。
【請求項１９】
前記処理ユニットに結合されたカメラとマイクロフォンとをさらに備える、請求項１８に記載のデバイス。
【請求項２０】
プロセッサによって実行されると、前記プロセッサに、
第１のチャネルを介した通信を停止する命令と第２のチャネルのインジケーションとを受信することと、ここで、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
別のデバイスが前記ＢＳＳ内にあるかどうかを判定することと、ここで、前記他のデバイスとの通信は、前記第１のチャネルを介する、
前記他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立することと
を行わせる命令を備え、
前記直接リンクを確立することは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、非一時的コンピュータ可読媒体。
【請求項２１】
前記プロセッサに、
前記第１のチャネル上の前記干渉信号を検出することと、
前記干渉信号が前記レーダー信号検出基準を満足することの検出に応答して、要求を送ることとを行わせるように実行可能な命令をさらに備える、請求項２０に記載の非一時的コンピュータ可読媒体。
【請求項２２】
前記プロセッサに、前記第２のチャネルを使用する前記他のデバイスとの前記直接リンクを確立するために、前記第１のチャネルを使用する第１の直接リンクを介して前記他のデバイスに送られるべきチャネル切り替え命令を生成させるように実行可能な命令をさらに備え、前記直接リンクは、前記アクセスポイントデバイスが前記第２のチャネルに切り替える前に前記第２のチャネルを使用して確立される、請求項２０に記載の非一時的コンピュータ可読媒体。
【請求項２３】
前記チャネル切り替え命令は、トンネリング直接リンクセットアップ（ＴＤＬＳ）プロシージャに従って送られる、請求項２２に記載の非一時的コンピュータ可読媒体。
【請求項２４】
第１のチャネルを介した通信を停止する命令と第２のチャネルのインジケーションとを受信するための手段と、ここで、別のデバイスとの通信は、前記第１のチャネルを介し、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立するための手段と
を備え、
前記直接リンクを確立することは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、装置。
【請求項２５】
前記第２のチャネルの前記インジケーションを受信する前に前記アクセスポイントデバイスに要求を送るための手段と、前記アクセスポイントデバイスから応答を受信するための手段とをさらに備え、前記応答は、前記第２のチャネルの前記インジケーションを含む、請求項２４に記載の装置。
【請求項２６】
前記要求は、プローブ要求を含み、前記応答は、チャネル切り替え告知を含むプローブ応答を含み、前記命令は、前記チャネル切り替え告知内のチャネル切り替えモードインジケータに対応する、請求項２５に記載の装置。
【請求項２７】
前記第１のチャネル上の前記干渉信号を検出するための手段と、
前記干渉信号が前記レーダー信号検出基準を満足するかどうかを検出するための手段と
を備え、要求は、前記干渉信号が前記レーダー信号検出基準を満足することの検出に応答して送られる、請求項２４に記載の装置。
【請求項２８】
基本サービスセット（ＢＳＳ）のアクセスポイントデバイスが、第１のチャネルを介した通信を停止する命令と第２のチャネルのインジケーションとを送ることと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記ＢＳＳ内の第１のデバイスが、前記命令と前記インジケーションとを受信することと、ここで、前記第１のデバイスは、前記第１のチャネルを介して第２のデバイスと通信する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントデバイスをバイパスする前記第１のデバイスと前記第２のデバイスとの間の通信を可能にするために、前記第２のチャネルを使用する前記第２のデバイスとの直接リンクを確立することと
を備え、
前記第２のチャネルを使用して前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
【請求項２９】
前記第１のデバイスが、前記第１のデバイスが前記第２のチャネルの前記インジケーションを受信する前に前記アクセスポイントデバイスに要求を送ることと、
前記アクセスポイントデバイスが、前記第２のチャネルの前記インジケーションを含む、前記要求に対する応答を送ることとをさらに備える、請求項２８に記載の方法。
【請求項３０】
前記要求は、プローブ要求を含み、前記応答は、チャネル切り替え告知を含むプローブ応答を含み、前記命令は、前記チャネル切り替え告知内のチャネル切り替えモードインジケータに対応する、請求項２９に記載の方法。
【請求項３１】
前記第１のデバイスが、前記第１のチャネル上の前記干渉信号を検出することと、
前記第１のデバイスで、前記干渉信号が前記レーダー信号検出基準を満足することの検出に応答して、前記要求を送ることとをさらに備える、請求項３０に記載の方法。
【請求項３２】
第１のチャネルを介した通信を停止する命令と、第２のチャネルのインジケーションとを送るように構成された、基本サービスセット（ＢＳＳ）のアクセスポイントデバイスと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記第１のチャネルを介して第２のデバイスと通信し、前記命令および前記インジケーションの受信と前記第２のデバイスが前記ＢＳＳ内にあることの判定とに応答して、前記第２のチャネルを使用して前記アクセスポイントデバイスをバイパスする第１のデバイスと前記第２のデバイスとの間の通信を可能にするために、前記第２のチャネルを使用する前記第２のデバイスとの直接リンクを確立するように構成された、前記ＢＳＳ内の前記第１のデバイスと
を備え、
前記第２のチャネルを使用して前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、システム。
【請求項３３】
第１のチャネルを介したフレームの送信を停止する命令を受信することと、第２のチャネルのインジケーションを受信することと、ここで、前記命令および前記インジケーションは、ワイヤレスネットワークを介してアクセスポイントデバイスから第１のデバイスで受信され、前記命令および前記インジケーションは、ネットワーク通信を前記第１のチャネルから前記第２のチャネルに切り替えるアクセスポイントによって開始されるチャネル切り替えに対応する、
前記第１のデバイスが、前記第２のチャネルを使用して前記アクセスポイントデバイスをバイパスする前記第１のデバイスと第２のデバイスとの間の通信を可能にするために、前記第２のチャネルを使用する前記第２のデバイスとの直接リンクを確立することと
を備え、
前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
【請求項３４】
前記第２のチャネルの前記インジケーションおよびフレームの送信を停止する前記命令は、レーダー信号干渉しきい値を超える受信信号強度を有する前記第１のチャネル上の干渉信号の検出に対応する、請求項３３に記載の方法。
【請求項３５】
ワイヤレスネットワークを介して、第１のチャネルを介したフレームの送信を停止する命令が受信された後、かつ第２のチャネルのインジケーションが受信された後、別のデバイスとの直接リンクの前記第１のチャネルから前記第２のチャネルへの切り替えを要求するように構成された直接リンクのチャネル切り替えエンジンを備え、前記命令および前記インジケーションは、ネットワーク通信を前記第１のチャネルから前記第２のチャネルに切り替えるアクセスポイントによって開始されるチャネル切り替えに対応し、前記直接リンクを切り替えることは、前記第２のチャネルを使用してアクセスポイントデバイスをバイパスする他のデバイスとの通信を可能にし、前記アクセスポイントによって開始されるチャネル切り替えの完了より前に前記第１のチャネル上の非通信期間を回避することにより、半導体デバイスと前記他のデバイスとの間のデータ交換のためのサービス品質基準が満足されることを可能にする、半導体デバイス。
【請求項３６】
前記直接リンクのチャネル切り替えエンジンは、メディアアクセスコントローラ内にある、請求項３５に記載の半導体デバイス。
【請求項３７】
前記メディアアクセスコントローラに結合されたワイヤレストランシーバをさらに備える、請求項３６に記載の半導体デバイス。
【手続補正２】
【補正対象書類名】明細書
【補正対象項目名】００８１
【補正方法】変更
【補正の内容】
【００８１】
開示された実施形態のこれまでの説明は、当業者が開示された実施形態を作成または使用できるように提供される。これらの実施形態への様々な変更は当業者には容易に明らかになり、本明細書で規定された原理は本開示の範囲から逸脱することなく他の実施形態に適用することができる。したがって、本開示は、本明細書で開示された実施形態に限定されるものではなく、以下の特許請求の範囲によって規定される原理および新規の特徴と合致することが可能な最も広い範囲が与えられるべきものである。
以下に、本願出願の当初の特許請求の範囲に記載された発明を付記する。
［Ｃ１］
アクセスポイントデバイスを含む基本サービスセット（ＢＳＳ）内の、第１のチャネルを介して第２のデバイスと通信する第１のデバイスで、前記第１のチャネルを介した通信を停止する命令と第２のチャネルのインジケーションとを受信することと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントデバイスをバイパスする前記第１のデバイスと前記第２のデバイスとの間の通信を可能にするために前記第２のデバイスとの直接リンクを確立することと
を備え、
前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
［Ｃ２］
前記レーダー信号検出基準は、レーダー信号干渉しきい値を超える受信信号強度を含む、Ｃ１に記載の方法。
［Ｃ３］
前記第２のデバイスが前記ＢＳＳ内にあるかどうかを判定することは、直接リンクセットアップ（ＤＬＳ）ベースの発見プロシージャに従って、またはトンネリング直接リンクセットアップ（ＴＤＬＳ）ベースの発見プロシージャに従って実行される、Ｃ１に記載の方法。
［Ｃ４］
前記アクセスポイントデバイスから受信されたビーコンをモニタして、前記第２のチャネルへの前記アクセスポイントデバイスの切り替えを判定することをさらに備える、Ｃ１に記載の方法。
［Ｃ５］
前記アクセスポイントデバイスが前記第２のチャネルに切り替えた後、前記アクセスポイントデバイスを介して前記第２のデバイスにデータを送ることをさらに備える、Ｃ４に記載の方法。
［Ｃ６］
前記第２のチャネルの前記インジケーションを受信する前に前記アクセスポイントデバイスに要求を送ることと、
前記要求に対する応答を前記アクセスポイントデバイスから受信することと
をさらに備え、前記応答は、前記第２のチャネルの前記インジケーションを含む、Ｃ１に記載の方法。
［Ｃ７］
前記要求は、プローブ要求を含み、前記応答は、チャネル切り替え告知を含むプローブ応答を含み、前記命令は、前記チャネル切り替え告知内のチャネル切り替えモードインジケータに対応する、Ｃ６に記載の方法。
［Ｃ８］
前記第１のデバイスが、前記第１のチャネル上の前記干渉信号を検出することと、
前記干渉信号が前記レーダー信号検出基準を満足することの検出に応答して、前記要求を送ることとをさらに備える、Ｃ６に記載の方法。
［Ｃ９］
前記第２のチャネルを使用して前記第２のデバイスとの前記直接リンクを確立することは、前記第１のチャネルを使用する第１の直接リンクを介して前記第２のデバイスにチャネル切り替え命令を送ることを含み、前記アクセスポイントデバイスが前記第２のチャネルに切り替える前に、前記直接リンクが前記第２のチャネルを使用して確立される、Ｃ８に記載の方法。
［Ｃ１０］
前記チャネル切り替え命令は、トンネリング直接リンクセットアップ（ＴＤＬＳ）プロシージャに従って送られる、Ｃ９に記載の方法。
［Ｃ１１］
前記干渉信号が前記レーダー信号検出基準を満足することの検出に応答して、前記第２のデバイスとの前記第１の直接リンクを確立することをさらに備える、Ｃ９に記載の方法。
［Ｃ１２］
前記第２のデバイスとの前記第１の直接リンクが、前記干渉信号を検出するより前に確立される、Ｃ９に記載の方法。
［Ｃ１３］
直接リンクのチャネル切り替えエンジンを備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、
半導体デバイス。
［Ｃ１４］
前記直接リンクのチャネル切り替えエンジンは、メディアアクセスコントローラ内にある、Ｃ１３に記載の半導体デバイス。
［Ｃ１５］
前記メディアアクセスコントローラに結合されたワイヤレストランシーバをさらに備える、Ｃ１４に記載の半導体デバイス。
［Ｃ１６］
前記メディアアクセスコントローラに結合された処理ユニットと、前記処理ユニットに結合されたコーダ／デコーダ（コーデック）とをさらに備える、Ｃ１５に記載の半導体デバイス。
［Ｃ１７］
トランシーバに結合されたアンテナと、
直接リンクのチャネル切り替えエンジンと
を備え、前記直接リンクのチャネル切り替えエンジンは、
基本サービスセット（ＢＳＳ）のアクセスポイントデバイスから受信された、第１のチャネルを介した通信を停止する命令と第２のチャネルのインジケーションとに応答して、かつ前記第１のチャネルを使用して別のデバイスとの直接リンクが確立された後、他のデバイスが前記ＢＳＳ内にあるかどうかを判定し、
ここで、前記他のデバイスとの前記直接リンクは、前記他のデバイスとの通信と前記アクセスポイントデバイスのバイパスとを可能にし、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記他のデバイスが前記ＢＳＳ内にあることの判定に応答して、前記第２のチャネルを使用する前記他のデバイスとの通信を可能にするために、前記第１のチャネルから前記第２のチャネルへの前記直接リンクの切り替えを要求する
ように構成され、
前記第２のチャネルへの前記直接リンクの切り替えは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、
デバイス。
［Ｃ１８］
前記トランシーバと前記直接リンクのチャネル切り替えエンジンとに結合された処理ユニットをさらに備える、Ｃ１７に記載のデバイス。
［Ｃ１９］
前記処理ユニットに結合されたカメラとマイクロフォンとをさらに備える、Ｃ１８に記載のデバイス。
［Ｃ２０］
プロセッサによって実行されると、前記プロセッサに、
第１のチャネルを介した通信を停止する命令と第２のチャネルのインジケーションとを受信することと、ここで、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
別のデバイスが前記ＢＳＳ内にあるかどうかを判定することと、ここで、前記他のデバイスとの通信は、前記第１のチャネルを介する、
前記他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立することと
を行わせる命令を備え、
前記直接リンクを確立することは、前記アクセスポイントによって開始されるチャネル切り替えの完了より前に前記第１のチャネル上の非通信期間を回避することにより、前記第２のデバイスとのデータ交換のためのサービス品質基準が満足されることを可能にする、非一時的コンピュータ可読媒体。
［Ｃ２１］
前記プロセッサに、
前記第１のチャネル上の前記干渉信号を検出することと、
前記干渉信号が前記レーダー信号検出基準を満足することの検出に応答して、前記要求を送ることとを行わせるように実行可能な命令をさらに備える、Ｃ２０に記載の非一時的コンピュータ可読媒体。
［Ｃ２２］
前記プロセッサに、前記第２のチャネルを使用する前記第２のデバイスとの前記直接リンクを確立するために、前記第１のチャネルを使用する第１の直接リンクを介して前記第２のデバイスに送られるべきチャネル切り替え命令を生成させるように実行可能な命令をさらに備え、前記直接リンクは、前記アクセスポイントデバイスが前記第２のチャネルに切り替える前に前記第２のチャネルを使用して確立される、Ｃ２０に記載の非一時的コンピュータ可読媒体。
［Ｃ２３］
前記チャネル切り替え命令は、トンネリング直接リンクセットアップ（ＴＤＬＳ）プロシージャに従って送られる、Ｃ２２に記載の非一時的コンピュータ可読媒体。
［Ｃ２４］
第１のチャネルを介した通信を停止する命令と第２のチャネルのインジケーションとを受信するための手段と、ここで、別のデバイスとの通信は、前記第１のチャネルを介し、前記命令および前記インジケーションは、基本サービスセット（ＢＳＳ）のアクセスポイントデバイスから受信され、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
他のデバイスが前記ＢＳＳ内にあることの判定に応答して、前記第２のチャネルを使用して前記アクセスポイントデバイスをバイパスする前記他のデバイスとの通信を可能にするために、前記第２のチャネルを使用する前記他のデバイスとの直接リンクを確立するための手段と
を備え、
前記直接リンクを確立することは、前記アクセスポイントによって開始されるチャネル切り替えの完了より前に前記第１のチャネル上の非通信期間を回避することにより、前記他のデバイスとのデータ交換のためのサービス品質基準が満足されることを可能にする、装置。
［Ｃ２５］
前記第２のチャネルの前記インジケーションを受信する前に前記アクセスポイントデバイスに要求を送るための手段と、前記アクセスポイントデバイスから応答を受信するための手段とをさらに備え、前記応答は、前記第２のチャネルの前記インジケーションを含む、Ｃ２４に記載の装置。
［Ｃ２６］
前記要求は、プローブ要求を含み、前記応答は、チャネル切り替え告知を含むプローブ応答を含み、前記命令は、前記チャネル切り替え告知内のチャネル切り替えモードインジケータに対応する、Ｃ２４に記載の装置。
［Ｃ２７］
前記第１のチャネル上の前記干渉信号を検出するための手段と、
前記干渉信号が前記レーダー信号検出基準を満足するかどうかを検出するための手段と
を備え、前記要求は、前記干渉信号が前記レーダー信号検出基準を満足することの検出に応答して送られる、Ｃ２４に記載の装置。
［Ｃ２８］
基本サービスセット（ＢＳＳ）のアクセスポイントデバイスが、第１のチャネルを介した通信を停止する命令と第２のチャネルのインジケーションとを送ることと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記ＢＳＳ内の第１のデバイスが、前記命令と前記インジケーションとを受信することと、ここで、前記第１のデバイスは、前記第１のチャネルを介して第２のデバイスと通信する、
前記第２のデバイスが前記ＢＳＳ内にあるかどうかを判定することと、
前記第２のデバイスが前記ＢＳＳ内にあることの判定に応答して、前記第１のデバイスが、前記第２のチャネルを使用して前記アクセスポイントをバイパスする前記第１のデバイスと前記第２のデバイスとの間の通信を可能にするために、前記第２のチャネルを使用する前記第２のデバイスとの直接リンクを確立することと
を備え、
前記第２のチャネルを使用して前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、方法。
［Ｃ２９］
前記第１のデバイスが、前記第１のデバイスが前記第２のチャネルの前記インジケーションを受信する前に前記アクセスポイントデバイスに要求を送ることと、
前記アクセスポイントデバイスが、前記第２のチャネルの前記インジケーションを含む、前記要求に対する応答を送ることとをさらに備える、Ｃ２８に記載の方法。
［Ｃ３０］
前記要求は、プローブ要求を含み、前記応答は、チャネル切り替え告知を含むプローブ応答を含み、前記命令は、前記チャネル切り替え告知内のチャネル切り替えモードインジケータに対応する、Ｃ２９に記載の方法。
［Ｃ３１］
前記第１のデバイスが、前記第１のチャネル上の前記干渉信号を検出することと、
前記第１のデバイスで、前記干渉信号が前記レーダー信号検出基準を満足することの検出に応答して、前記要求を送ることとをさらに備える、Ｃ３０に記載の方法。
［Ｃ３２］
第１のチャネルを介した通信を停止する命令と、第２のチャネルのインジケーションとを送るように構成された、基本サービスセット（ＢＳＳ）のアクセスポイントデバイスと、ここで、前記命令および前記インジケーションは、レーダー信号検出基準を満足する前記第１のチャネル上の干渉信号の検出に起因して前記ＢＳＳを前記第１のチャネルから前記第２のチャネルに切り替える、アクセスポイントによって開始されるチャネル切り替えに対応する、
前記第１のチャネルを介して第２のデバイスと通信し、前記命令および前記インジケーションの受信と前記第２のデバイスが前記ＢＳＳ内にあることの判定とに応答して、前記第２のチャネルを使用して前記アクセスポイントをバイパスする第１のデバイスと前記第２のデバイスとの間の通信を可能にするために、前記第２のチャネルを使用する前記第２のデバイスとの直接リンクを確立するように構成された、前記ＢＳＳ内の前記第１のデバイスと
を備え、
前記第２のチャネルを使用して前記直接リンクを確立することは、前記アクセスポイントによって開始されるチャネル切り替えの完了より前に前記第１のチャネル上の非通信期間を回避することにより、前記第１のデバイスと前記第２のデバイスとの間のデータ交換のためのサービス品質基準が満足されることを可能にする、システム。
［Ｃ３３］
第１のチャネルを介したフレームの送信を停止する命令を受信することと、第２のチャネルのインジケーションを受信することと、ここで、前記命令および前記インジケーションは、ワイヤレスネットワークを介してアクセスポイントデバイスから第１のデバイスで受信され、前記命令および前記インジケーションは、ネットワーク通信を前記第１のチャネルから前記第２のチャネルに切り替えるアクセスポイントによって開始されるチャネル切り替えに対応する、
前記第１のデバイスが、前記第２のチャネルを使用して前記アクセスポイントをバイパスする前記第１のデバイスと第２のデバイスとの間の通信を可能にするために、前記第２のチャネルを使用する前記第２のデバイスとの直接リンクを確立することとを備える、方法。
［Ｃ３４］
前記第２のチャネルの前記インジケーションおよびフレームの送信を停止する前記命令は、レーダー信号干渉しきい値を超える受信信号強度を有する前記第１のチャネル上の干渉信号の検出に対応する、Ｃ３３に記載の方法。
［Ｃ３５］
ワイヤレスネットワークを介して、第１のチャネルを介したフレームの送信を停止する命令が受信された後、かつ第２のチャネルのインジケーションが受信された後、別のデバイスとの直接リンクの前記第１のチャネルから前記第２のチャネルへの切り替えを要求するように構成された直接リンクのチャネル切り替えエンジンを備え、前記命令および前記インジケーションは、ネットワーク通信を前記第１のチャネルから前記第２のチャネルに切り替えるアクセスポイントによって開始されるチャネル切り替えに対応し、前記直接リンクを切り替えることは、前記第２のチャネルを使用して前記アクセスポイントデバイスをバイパスする他のデバイスとの通信を可能にする、半導体デバイス。
［Ｃ３６］
前記直接リンクのチャネル切り替えエンジンは、メディアアクセスコントローラ内にある、Ｃ３５に記載の半導体デバイス。
［Ｃ３７］
前記メディアアクセスコントローラに結合されたワイヤレストランシーバをさらに備える、Ｃ３６に記載の半導体デバイス。